(57)【要約】【課題】ワークライトを、いろいろな取り付け面に、さまざまな向きで取り付けることができる、単純なシステムを提供する。【解決手段】本発明の携帯型電気式ワークライト(10)は、ステンレス製のストラップ保持バー(43,44,45)、および、着脱可能な締結手段を備えた柔軟性ストラップ(50)を有する、調節可能なストラップシステムを備え、少なくとも２つの異なるストラップ配置により、取り付け面に固定可能となっている。【選択図】図１
2013518391.tif 000002
【特許請求の範囲】
【請求項１】
ハウジングアセンブリと、グローブアセンブリと、１対のストラップ保持バーおよび着脱可能な締結手段を備えた柔軟性ストラップを有する、調節可能なストラップシステムと、を備えるライトであって、前記ストラップシステムは、少なくとも２つの異なるストラップ配置により、該ライトを取り付け面に固定可能である、ライト。
【請求項２】
前記ストラップシステムは、前記ハウジングアセンブリの基部に第３のストラップ保持バーをさらに備える、請求項１に記載のライト。
【請求項３】
前記ハウジングアセンブリに設けられた第３のストラップ保持バーは、前記グローブアセンブリに設けられた前記１対のストラップ保持バーに対して、平行に配置される、請求項２に記載のライト。
【請求項４】
前記着脱可能な締結手段が、面ファスナからなる、請求項１に記載のライト。
【請求項５】
前記柔軟性ストラップの第１端部は、前記１対のストラップ保持バーのうちの第１のストラップ保持バーに恒久的に固定されており、該柔軟性ストラップの第２端部は、前記着脱可能な締結手段により、前記１対のストラップ保持バーのうちの第２のストラップ保持バーまたは第３のストラップ保持バーに対して着脱可能に固定することができる、請求項１に記載のライト。
【請求項６】
前記柔軟性ストラップは、ナイロン製ウェビング製である、請求項１に記載のライト。
【請求項７】
交換可能な電源パックからなる電源をさらに備える、請求項１に記載のライト。
【発明の詳細な説明】
【技術分野】
【０００１】
本発明は、ライト（照明器具）、具体的には、ワークライトを取り付け面または物体にさまざま向きで固定するためのシステムに関する。
【背景技術】
【０００２】
通常、ワークライト（作業灯）として、携帯可能なライトやランタンなどの、ユーザが手持ちで使用したり、フックなどから吊して使用したりすることができる照明器具が使用される。ワークライトは、たとえば、アウトドアにおける照明、停電の際のバックアップ照明、暗い場所で物を探したり、暗い場所で作業したりする場合の光源、集中的な光が必要な場合の光源として、多種多様な用途に利用される。ワークライトは、幅広い用途に用いられるため、このワークライトを、いろいろな取り付け面に、さまざまな向きで取り付けることができる、単純なシステムの提供が望まれている。
【発明の概要】
【課題を解決するための手段】
【０００３】
以下、いくつかの実施態様について、簡略に概要を述べるが、この概要は、本発明の根本的な理解を促すためのものであって、本発明の外延を画するものではない。
【０００４】
本発明の一実施形態によれば、ワークライトが提供される。このワークライトは、調整可能で柔軟性のあるストラップシステムを備え、ユーザが手に保持したり、支持ポールやその他の構造物に、さまざま向きでしっかりと取り付けたりすることができるようになっている。
【０００５】
本発明のその他の特徴は、図面および以下の詳細な説明により、明確とされる。
【図面の簡単な説明】
【０００６】
【図１】図１は、本発明の一実施形態のワークライトの斜視図である。
【図２】図２は、図１のワークライトの正面図である。
【図３】図３は、図１のワークライトの右側面図である。
【図４】図４は、図１のワークライトの背面図である。
【図５】図５は、図１のワークライトの平面図である。
【図６】図６は、図１のワークライトの底面図である。
【図７】図７は、図１のワークライトの底面側から見た斜視図である。
【図８】図８は、図１のワークライトの第１のストラップ構成を示す斜視図である。
【図９】図９は、図１のワークライトの第２のストラップ構成を示す斜視図である。
【発明を実施するための形態】
【０００７】
以下、本発明のさまざまな実施形態について記述する。なお、本発明に対する理解を十分に図るため、その具体的な構造について詳細に説明するが、当業者であれば、このような詳細な説明がなくとも、本発明を実施することは可能である。また、周知の特徴については、本実施形態についての記述を明確にするため、省略または簡略化する。
【０００８】
図面を参照するが、それぞれの図面において、同様の部分については同様の参照番号を付している。図１は、本発明の一実施形態のワークライト１０を示している。ワークライト１０は、ハウジングアセンブリ２０とグローブアセンブリ３０を有する。グローブアセンブリ３０は、半透明のグローブ３２、上部カバー３４、ベゼル３６、上部反射鏡３８、筒状レンズ４０、および底部反射鏡４２を備える。
【０００９】
ハウジングアセンブリ２０の底面には、図６および図７に示すように、レセプタクル５９が設けられ、交換可能な電源パック６０を収容する空洞を形成している。好ましくは、電源パック６０は、バッテリ、充電式バッテリ、燃料電池などを動力源とする。また、レセプタクル５９にバッテリ（図示せず）を入れて、キャップ（図示せず）で蓋をして固定する構造も、本発明の範囲に属する。
【００１０】
本例では、筒状レンズが採用されているが、ワークライトは、発光ダイオード（ＬＥＤ）、ハロゲン・ランプ、白熱灯、蛍光灯など、その他の任意の形態のランプ／ライトを用いることもできる。ワークライト１０は、内部配線（図示せず）と電源スイッチ８０とを備え、ユーザがこのスイッチを使用して、ライトの点灯および消灯をすることができるようになっている。ハウジングアセンブリ２０は、ベント７０を備えており、これにより、空気がハウジング２０を通って循環することが可能となり、ワークライトの状態を適切に維持できる。
【００１１】
図１〜図４に示すように。グローブアセンブリ３０は、底部に向かうにつれ少しずつ広がる略正方形の断面を有しており、ハウジングアセンブリ２０の底部は、上部カバー３４よりも広くなっている。ただし、第３のバー４５を用いてストラップシステムを物体に固定する際、その物体とワークライトの側面とを当接させることが可能であれば、略正方形以外の形状も採用でき、このような形状も本発明の範囲に属する。このような接触を容易にするため、ワークライトの少なくとも１つの側面は、平面または略平面であることが好ましい。
【００１２】
ハウジングアセンブリ２０および上部カバー３４は、ＡＢＳ樹脂、あるいは同様の特性を有する周知の材料で形成される。ベゼル３６およびベース部２２は、モールド成形した熱可塑性エラストマ（ＴＰＥ）またはラバー製であることが好ましいが、衝撃を吸収し、物体または取り付け面とのグリップまたは静止摩擦を提供できる材料であれば、その他の材料も使用できる。
【００１３】
グローブアセンブリ３０は、上部カバー３４上面の両側に、互いに平行に設けられた第１および第２のストラップ保持バー４３、４４を備える。これらのストラップ保持バーは、それぞれの両端部だけが上部カバー３４と連結しており、それ以外の部分は、上部カバー３４との間に少しだけ間隔を開けて配され、ストラップをそこに通せるようになっている。これらのバー４３、４４は、ステンレススチール製であることが好ましく、上部カバー３４の成形時に埋め込む方法やその他の方法により、それぞれの両端部を上部カバー３４に固定する。
【００１４】
ストラップ５０は、第１の端部５１と第２の端部５２を備える。第１の端部５１は、第１のストラップ保持バー４３に通してループを作り、縫い付け、接着、リベット留めなどの方法で自身に固定することにより、恒久的に第１のストラップ保持バー４３に取り付けられる。ストラップ５０の好ましい長さは、およそ１２〜３６インチ（３００〜９１５ｍｍ）、より好ましくは、およそ１５〜２７インチ（３８０〜６８５ｍｍ）である。ストラップ５０の幅は、かなりの範囲で変動可能であるが、およそ１．５〜３インチ（３８〜７６ｍｍ）程度が好ましく、また、取り付け面や物体に固定したワークライトの重量で、ストラップが破損しないよう、十分な強度が必要である。ストラップ５０は、柔軟性があって高強度の材料、たとえばナイロン製ウェビング（テープ状生地）などで作製する。なお、ここに示した寸法は限定的なものではなく、長さや幅の寸法がもっと大きい／小さいストラップを使用することも、本発明の範囲に属する。
【００１５】
ハウジングアセンブリ２０は、ベース部２２を有する。ベース部２２は、その下部の一側部に、第１および第２のストラップ保持バーと平行に設けられた第３のストラップ保持バー４５を備える。第３のストラップ保持バー４５も、ステンレススチールまたは同様の材料製であることが好ましく、両端部をベース部２２の成形時に埋め込む方法やその他の方法により、その両端部をベース部２２に固定する。第３のストラップ保持バー４５の両端部以外の部分は、ベース部２２の本体との間に少しだけ間隔を開けて配され、ベース部２２と第３のストラップ保持バー４５との間にストラップ３０を通せるようになっている。
【００１６】
第１のストラップ端部５１は、第１のストラップ保持バー４３に恒久的に固定されることが好ましいが、第１のストラップ保持バー４３に着脱可能に取り付けた場合も、本発明の範囲に属する。第１のストラップ端部５１の取り付け手段とは関係なく、第２のストラップ端部５２は、その外側に着脱可能な締結手段を備える。着脱可能な締結手段は、面ファスナ、バックル、クリップ、スナップ、ボタン、ループ式留め具などのあらゆる周知の手段を含む。
【００１７】
本例では、第２のストラップ端部５２は、成形ゴム製のプルタブ５３を備える。第２の端部５２は、締結手段として、面ファスナを備えることが好ましく、面ファスナのうちのフック部またはループ部の一方を、中間点５４から端部５５までにわたってストラップの外側に固定し、フック部またはループ部の他方を、端部５５からプルタブ５３までにわたってストラップ外側に固定する。これにより、上部カバー３４と第２のストラップ保持バー４４との間の隙間にストラップ５０を通した後、第２のストラップ保持バー４４の周りでストラップ５０を折り返し、ストラップ自身の上に固定することが可能となる。面ファスナは、ストラップ５０に縫い付けることが好ましいが、接着剤などのその他の周知の手段を用いて固定することも、本発明の範囲に属する。
【００１８】
使用時に、第２のストラップ端部５２は、第２のストラップ保持バー４４または第３のストラップ保持バー４５の周りに固定される。第１の構成において、本発明のストラップシステムは、従来的なスウィング式ランタンのハンドルとして機能し、ストラップ５０の下にワークライトが吊り下がる。第２のストラップ端部５２は、第２のストラップ保持バー４４と上部カバー３４の間の隙間を通り、着脱可能な締結手段により、ストラップ自身の上に固定される。図８に示すように、第１の構成において、第１および第２のストラップ保持バーの間にストラップ５０が形成するループは、フックにかけて使用することが可能であり、実質的に垂直に吊り下がるように、棒状物またはその他の取り付け面に取り付けることも可能であり、さらには、ランタンのようにユーザが手持ちで使用することもできる。
【００１９】
第２の構成において、ストラップ５０は、図９に示すように、第２のストラップ保持バー４４を超えて、ハウジングアセンブリ２０に設けた第３のストラップ保持バー４５に通される。第２の構成では、ポールやパイプなどに対して水平位置にワークライト１０を固定することができ、より水平な方向に照明を向けることが可能となる。また、第２の構成において、ストラップ５０、ワークライト１０、およびワークライト１０を取り付ける面が、ぴったりと係合するように、ストラップ５０を調整することにより、照明をさまざまな方向に向けることが可能となる。この構成においては、このような係合とストラップの調整により、ワークライト１０を設置面の周囲を回転させて、照明が必要とされる方向にワークライト１０を向けることが可能となる。
【符号の説明】
【００２０】
１０  ワークライト
２０  ハウジングアセンブリ
２２  ベース部
３０  グローブアセンブリ
３２  グローブ
３４  上部カバー
３６  ベゼル
３８  上部反射鏡
４０  筒状レンズ
４２  底部反射鏡
４３  第１のストラップ保持バー
４４  第２のストラップ保持バー
４５  第３のストラップ保持バー
５０  ストラップ
５１  第１の端部
５２  第２の端部
５３  プルタブ
５４  中間点
５５  端部
５９  レセプタクル
６０  電源パック
７０  ベント
【図１】
2013518391.tif 000003
【図２】
2013518391.tif 000004
【図３】
2013518391.tif 000005
【図４】
2013518391.tif 000006
【図５】
2013518391.tif 000007
【図６】
2013518391.tif 000008
【図７】
2013518391.tif 000009
【図８】
2013518391.tif 000010
【図９】
2013518391.tif 000011
【国際調査報告】
2013518391.tif 000012
2013518391.tif 000013